(57)【要約】【課題】  既製品の車椅子にも装着できる車椅子用テーブル装着構造を提供する。【解決手段】  被装着部２２それぞれに固定した装着具３４の円柱状貫通孔４８にパイプガイド２４を貫通させた状態で、装着具３４の延長部３８の長孔５２内でネジ付きロッド５４を移動及び回転させたり、固定部３６を被装着部２２に対して周方向に回すことで、パイプガイド２４の大雑把な位置決めを行う。続いて第２の円環状部材４６を第１の円環状部材４４に対して回すことにより、円柱状貫通孔４８の位置を変化させ、これによりパイプガイド２４の上下方向及び左右方向の微調整を行うことができる。【選択図】  図１
2018033824.tif 000002
【特許請求の範囲】
【請求項１】
一対の肘掛け部が装着される一対の被装着部を備えた一対の肘掛け用フレームを有する車椅子にテーブルを装着する車椅子用テーブル装着構造であって、
前記一対の被装着部に一対の姿勢調整機構を介して装着され、前記テーブルの一対のスライドパイプが挿入される一対のパイプガイドを備え、
前記一対の姿勢調整機構は、前記一対の被装着部に対して取り付けられる一対の装着構造部と前記一対のパイプガイドを保持する一対の保持構造部とを備え、前記一対の装着構造部及び前記一対の保持構造部は、前記一対のパイプガイドが平行に並んだ状態で前記一対の被装着部に装着できるように前記一対のパイプガイドの取付姿勢を調整可能に構成されていることを特徴とする車椅子用テーブル装着構造。
【請求項２】
前記姿勢調整機構の前記装着構造部は、前記被装着部に沿って所定の間隔をあけて装着される一対の装着具からなり、
前記一対の装着具は、それぞれ前記被装着部の周方向に変位可能に前記被装着部に対して取り付けられて前記被装着部に固定される一対の固定部と該一対の固定部と一体に設けられて該固定部から離れる方向に延びる一対の延長部を備え、
前記姿勢調整機構の前記保持構造部は、前記一対の装着具の前記一対の延長部に対して該延長部に沿って位置調整可能に取り付けられる一対の保持具からなり、
前記一対の保持具は第１の円環状部材と、該第１の円環状部材の内部に回動可能に嵌合され且つ内部に前記パイプガイドが貫通する円柱状貫通孔を備えた第２の円環状部材と、前記第１の円環状部材に対して第２の円環状部材を位置決め固定する位置決め固定構造とを備えており、前記円柱状貫通孔の中心が第２の円環状部材の中心と一致しておらず、
前記装着具の前記延長部には前記固定部から離れる方向に延び且つ該離れる方向と直交する方向に貫通する長孔が形成されており、
前記保持具の前記第１の円環状部材には、前記長孔に挿入されて該長孔を貫通するネジ付きロッドが固定されており、
前記長孔を貫通する前記ネジ付きロッドのネジ部にナットが螺合されて前記延長部に前記第１の円環状部材が固定されていることを特徴とする請求項１に記載の車椅子用テーブル装着構造。
【請求項３】
前記位置決め固定構造は、前記第１の円環状部材に設けられた雌ねじ部と、該雌ねじ部に螺合されて前記第１の円環状部材を貫通し且つ先端が前記第２の円環状部材に押し付けられるネジ部材とから構成されている請求項２に記載の車椅子用テーブル装着構造。
【請求項４】
前記肘掛け部が、前記被装着部に設けられた一対の貫通孔をそれぞれ貫通する一対のネジ部材により前記被装着部に取り付けられており、
前記一対の装着具の前記固定部には、それぞれ周方向に延びる長孔が形成されており、
前記固定部は、前記肘掛け部を前記被装着部に取り付ける前記ネジ部材が前記長孔を貫通した状態で締め付けられて前記被装着部に固定されている請求項２に記載の車椅子用テーブル装着構造。
【発明の詳細な説明】
【技術分野】
【０００１】
本発明は、車椅子にテーブルを装着する際に用いる車椅子用テーブル装着構造に関するものである。
【背景技術】
【０００２】
特開２００３−１２６１６４号公報（特許文献１）には、一対の肘掛け部が装着される一対の被装着部を備えた一対の肘掛け用フレームを有する車椅子にテーブルを装着する従来のテーブル装着構造が開示されている。この従来のテーブル装着構造では、一対の被装着部に一対の取付金具を介して装着され、テーブルの一対のスライドパイプが挿入される一対のパイプガイドを備えている。一対の取付金具は、一対の被装着部に設けたネジ孔を利用してネジ止めされている。
【先行技術文献】
【特許文献】
【０００３】
【特許文献１】特開２００３−１２６１６４号公報
【発明の概要】
【発明が解決しようとする課題】
【０００４】
特許文献１に記載のテーブル装着構造では、一対の肘掛け用フレームの一対の被装着部が水平で且つ平行に延びていることを前提としている。しかしながら多くの既製品の車椅子では、一対の肘掛け用フレームの一対の被装着部は車椅子の前方側から後方側に下がるように傾斜している。また多くの既製品の車椅子では、一対の肘掛け用フレームの一対の被装着部は、前方に向かうに従って間隔が拡がるようになっている。このような既製品の車椅子に公知のテーブル装着構造を既製品の車椅子に取り付けると、テーブルを水平な状態で車椅子に装着することが難しいと言う問題がある。
【０００５】
本発明の目的は、既製品の車椅子にも装着できるテーブル装着構造を提供することにある。
【課題を解決するための手段】
【０００６】
本発明は、一対の肘掛け部が装着される一対の被装着部を備えた一対の肘掛け用フレームを有する車椅子にテーブルを装着する車椅子用テーブル装着構造を改良の対象とする。本発明では、テーブル装着構造は、一対の被装着部に一対の姿勢調整機構を介して装着され、テーブルの一対のスライドパイプが挿入される一対のパイプガイドを備えている。一対の姿勢調整機構は、一対の装着部に対して取り付けられる一対の装着構造部と一対のパイプガイドを保持する一対の保持構造部とを備えている。そして一対の被装着構造部及び一対の保持構造部は、一対のパイプガイドが平行に並んだ状態で一対の装着部に装着できるように一対のパイプガイドの取付姿勢を調整可能に構成されている。
【０００７】
本発明のように一対の姿勢調整機構を設ければ、一対の肘掛け用フレームの一対の被装着部が車椅子の前方側から後方側に下がるように傾斜していたり、一対の肘掛け用フレームの一対の被装着部が、前方に向かうに従って間隔が拡がるようになっている場合でも、既製品の車椅子に取り付けたテーブルが水平になるようにパイプガイドを取り付けることが可能になる。
【０００８】
具体的な姿勢調整機構の装着構造部は、被装着部に沿って所定の間隔をあけて装着される一対の装着具からなる。この一対の装着具は、それぞれ被装着部の周方向に変位可能に被装着部に対して取り付けられて被装着部に固定される一対の固定部と該一対の固定部と一体に設けられた該固定部から離れる方向に延びる一対の延長部を備えている。そして姿勢調整機構の保持構造部は、一対の装着具の一対の延長部に対して該延長部に沿って位置調整可能に取り付けられる一対の保持具からなる。この一対の保持具は第１の円環状部材と、該第１の円環状部材の内部に回動可能に嵌合され且つ内部にパイプガイドが貫通する円柱状貫通孔を備えた第２の円環状部材と、第１の円環状部材に対して第２の円環状部材を位置決め固定する位置決め固定構造とを備えており、円柱状貫通孔の中心は、第２の円環状部材の中心と一致していない。また装着具の延長部には固定部から離れる方向に延び且つ該離れる方向と直交する方向に貫通する長孔が形成されている。また保持具の第１の円環状部材には、長孔に挿入されて該長孔を貫通するネジ付きロッドが固定されている。そして長孔を貫通するネジ付きロッドのネジ部にナットが螺合されて延長部に第１の円環状部材が固定されている。
【０００９】
このような構造では、長孔を利用してネジ付きロッドの上下方向の位置を調整してパイプガイドの上下方向の位置調整を行い、固定部を被装着部に対して周方向に回して固定部の左右方向の大雑把な位置決めを行い且つ第２の円環状部材を第１の円環状部材に対して回すことにより円柱状貫通孔の位置決めを行うことによりパイプガイドの上下方向及び左右方向の微調整を行う。その結果、既製品の車椅子に取り付けたテーブルが水平になるようにパイプガイドを取り付けることが可能になる。
【００１０】
位置決め固定構造は、第１の円環状部材に設けられた雌ねじ部と、該雌ねじ部に螺合されて第１の円環状部材を貫通し且つ先端が第２の円環状部材に押し付けられるネジ部材とから構成することができる。この構成では、ネジ部材を緩めておくと、第２の円環状部材が回る状況になるので、パイプガイドの位置決めを行うことが可能になる。そしてパイプガイドの位置決めが完了したら、ネジ部材を締め付けることにより、第２の円環状部材の回動が阻止されて、パイプガイドの固定が完了する。
【００１１】
肘掛け部が、被装着部に設けられた一対の貫通孔をそれぞれ貫通する一対のネジ部材により被装着部に取り付けられている場合には、一対の装着具の固定部には、それぞれ周方向に延びる長孔を形成する。そして固定部は、肘掛け部を被装着部に取り付けるネジ部材が長孔を貫通した状態で締め付けられて被装着部に固定される。この構成によれば、既存の肘掛け部を固定するためのネジ部材を用いて、簡単に装着具を固定することができる。
【図面の簡単な説明】
【００１２】
【図１】本発明の車椅子用テーブル装着構造の１つの実施の形態を利用してテーブルが装着された車椅子を示す正面図である。
【図２】テーブル上面が垂直な姿勢である図１の車椅子を示す正面図である。
【図３】図１の車椅子の平面図である。
【図４】図１に示したテーブル装着構造の一部を表す斜視図であり、パイプガイド及び車椅子の一部は省略して表されている。
【図５】図４の斜視図とは別の角度から表した斜視図である。
【図６】図４、図５に示した姿勢調整機構を表す斜視図である。
【図７】図６の姿勢調整機構の正面図である。
【図８】図６の姿勢調整機構の背面図である。
【図９】図６の姿勢調整機構の平面図である。
【図１０】図６の姿勢調整機構の左側面図である。
【図１１】被装着部に姿勢調整機構の装着具の固定部を車椅子の被装着部に取り付けた状態を示す図である。
【図１２】図１のテーブルの下面のみを示す底面図である。
【図１３】本発明のテーブル装着構造の他の実施の形態における姿勢調整機構に用いることができる装着構造部を示す斜視図である。
【図１４】抜け止め構造の一例を示す概略断面図である。
【発明を実施するための形態】
【００１３】
以下、添付の図面を参照しつつ、本発明の車椅子用テーブル装着構造の実施の形態について説明する。各図に示すように、本実施の形態に係る車椅子用テーブル装着構造は、利用者が座ったまま食事や読書等を行うとき、または買い物かごを載せるテーブルを既存の車椅子Ｗに装着するための構造である。
【００１４】
自操式の車椅子Ｗは、複数のパイプフレームを組み合わせて構成された車体フレーム２と、利用者がハンドリム４を手で操作して回転する左右一対の駆動輪６と、駆動輪６の内側に位置する左右一対の肘掛け用フレーム８に装着された左右一対の肘掛け１０と、左右一対の肘掛け１０間に配置されたシート１２と、シート１２の後端から上方に延びるバックレスト１４と、バックレスト１４の上端から後方に延びる左右一対のグリップ１６と、シート１２の前端から下方に延びるフレームの先端に設けたフットレスト１８と、左右一対の駆動輪６の前方に配置された左右一対のキャスター２０等を備えている。車椅子Ｗの利用者はシート１２上に座り、両手で左右一対のハンドリム４を握って操作することにより駆動輪６を回転させ、車椅子Ｗを前後に移動させたり方向転換したりその場で旋回したりすることができる。
【００１５】
本実施の形態におけるテーブル装着構造は、左右一対の肘掛け部１０が装着される左右一対の肘掛け用フレーム８の、前後方向に延びる部分を左右一対の被装着部２２とする。この被装着部２２は、図示の車椅子Ｗにおいては、図１、図２によく示されているように、各駆動輪６及びキャスター２０が接地する接地面Ｆに対して平行ではなく、前方に向かうに従って高くなるように延びている。本実施の形態のテーブル装着構造は、図示のように接地面Ｆに対して傾いた被装着部２２や、他のタイプの車椅子におけるように利用者が座ったり立ったりしやすくするために前方に向かうに従って左右外方向に開く方向に延びる被装着部２２に対しても、左右一対のテーブル半部Ｔの上面を水平にし、左右一対のテーブル半部Ｔが面一で隙間なく並置されるように、左右一対のテーブル半部Ｔの位置及び姿勢を容易に調整できる構造になっている。
【００１６】
図４乃至図６に示すように、本実施の形態のテーブル装着構造は、左右一対の被装着部２２それぞれに、一対のパイプガイド２４の姿勢を調整して保持する左右一対の姿勢調整機構２８を備えている。左右一対の姿勢調整機構２８は、左右一対の被装着部２２それぞれに対して取り付けられる一対の装着構造部３０を有している。１つの被装着部２２に対して取り付けられる一対の装着構造部３０には、一対の保持構造部３２がそれぞれ設けられている。一対の装着構造部３０に設けられた一対の保持構造部３２によって、姿勢調整可能に１本のパイプガイド２４が保持される。
【００１７】
左右一対のテーブル半部Ｔそれぞれの外側の縁部には、それぞれスライドパイプ２６が取り付けられており、各スライドパイプ２６の後方に向かって延びる部分が、それぞれ左右一対のパイプガイド２４に挿入される。各スライドパイプ２６は各パイプガイド２４内で、各パイプガイド２４に対し前後方向にそれぞれスライド可能であり、且つそれぞれ回転可能である。
【００１８】
詳細な姿勢調整機構２８の装着構造部３０の構成を図６乃至図１２を用いて説明する。１つの姿勢調整機構２８は、一対の装着構造部３０によって構成されている。一対の装着構造部３０は、それぞれ被装着部２２に沿って所定の間隔をあけて装着される金属製の装着具３４を備えている。この装着具３４は、被装着部２２の周方向に変位可能に被装着部２２に対して取り付けられて被装着部２２に固定される固定部３６と、固定部３６と一体に設けられて該固定部３６から離れる方向に延びる延長部３８を備えている。
【００１９】
固定部３６は半円筒形であり、その内径は被装着部２２の外径とほぼ同一である。固定部３６には周方向に延びる長孔４０が設けられており、この長孔４０に図１１に示すネジ部材６１が通る。図１１に示すように、肘掛け部１０は、被装着部２２に設けられた一対の貫通孔（図示せず）をそれぞれ貫通する一対のネジ部材６１により被装着部２２に取り付けられている。本実施の形態では、この肘掛け部１０の取付けに用いられている既存のネジ部材６１を利用して装着具３４が被装着部２２に対して固定される。具体的に、固定部３６は、肘掛け部１０を被装着部２２に取り付けるネジ部材６１が長孔４０を貫通した状態で締め付けられて被装着部２２に固定される。
【００２０】
姿勢調整機構２８の保持構造部３２は装着具３４の延長部３８に対して該延長部３８に沿って位置調整可能に取り付けられる保持具４２からなる。この保持具４２は、第１の円環状部材４４と、該第１の円環状部材４４の内部に回動可能に嵌合され且つ内部にパイプガイド２４が貫通する円柱状貫通孔４８を備えた第２の円環状部材４６と、第１の円環状部材４４に対して第２の円環状部材４６を位置決め固定するネジ部材５０及び６０とを備えている。円柱状貫通孔４８の中心は、第２の円環状部材４６の外周面の中心と一致していない。従って円柱状貫通孔４８の中心は、第１の円環状部材４４の中心とも一致していない。なお円柱状貫通孔４８の内径はパイプガイド２４の外径とほぼ同一であり、小さい力では相互にスライドしたり回転したりしない程度に相対する外周面と内周面とが接触している。本実施の形態では、位置決め固定構造が、第１の円環状部材４４に設けられた図示しない雌ねじ部と、該雌ねじ部に螺合されて第１の円環状部材４４を貫通し且つ先端が第２の円環状部材４６に押し付けられるネジ部材６１とから構成されている。なおネジ部材５０は、第２の円環状部材４６の抜け止めを主たる目的として設けられた補助的なものであって、必ずしも必要なものではない。
【００２１】
また装着具３４の延長部３８には固定部３６から離れる方向に延び且つ該離れる方向と直交する方向に貫通する長孔５２が形成されている。また保持具４２の第１の円環状部材４４には、長孔５２に挿入されて該長孔５２を貫通するネジ付きロッド５４が固定されている。そして長孔５２を貫通するネジ付きロッド５４のネジ部５３に袋ナット５６が螺合されて延長部３８に第１の円環状部材４４が固定されている。
【００２２】
図１２に示すように、左右一対のテーブル半部Ｔの下面には、一対のテーブル半部Ｔの上面が面一の状態にあるときに、一対のテーブル半部Ｔを相互にロックすることによりその状態を維持するための２つの独立したロック機構が設けられている。１つはバレルボルトラッチ５７であり、もう１つはリンク機構５８である。異なる種類のロック機構を二重に設けることにより、一対のテーブル半部Ｔのロック状態が解けて上に載せていたものが落下するような事故を確実に防止することができる。
【００２３】
次に、本実施の形態に係るテーブル装着構造によるテーブルの取付け手順について説明する。本実施の形態のテーブル装着構造を用いる場合には、最初に、一対のテーブル半部Ｔのロック機構をロック状態にしてテーブルを組み立てた状態を作っておく。また肘掛け部１０を被装着部２２から外しておく（図１１のネジ部材６１を外しておく）。次に、一対のパイプガイド２４にそれぞれ一対の姿勢調整機構２８に含まれる一対の保持構造部３２を装着する。すなわち一対の保持構造部３２の一対の保持具４２の円柱状貫通孔４８にそれぞれパイプガイド２４を通す。このとき保持具４２の袋ナット５６並びにネジ部材５０及び６０は緩めておく。次に一本のパイプガイド２４に装着した一対の姿勢調整機構２８の装着具３４の固定部３６を車椅子の被装着部２２に嵌め、さらにその上に肘掛け部１０を置く。次いで、ネジ部材６１を固定部３６の長孔４０に挿入し、その後肘掛け部１０の雌ネジにネジ部材６１を螺合する。この時点では、ネジ部材６１の螺合を緩い状態にしておく。このようにして一対の被装着部２２に対して、それぞれ一対のパイプガイド２４を装着する。その後、一対のパイプガイド２４に、テーブルの一対のスライドパイプ２６をそれぞれ嵌める。この状態で２本のパイプガイド２４は平行状態になっている。但し、上下方向の角度は未定である。そこで次にテーブルの上に水準器を置き、テーブルの前面領域において水準器で水平が出るように、一対のパイプガイド２４の位置を決める。この位置決めの際には、一人の作業者がテーブルを持ち、もう一人の作業者が。固定部３６を被装着部２２に対して周方向に微妙に動かしたり、ネジ付きロッド５４の位置を微妙に動かすことになる。そして所望の水平状態になった後、ネジ部材６１及び５０並びに袋ナット５６をきつく締め付ける。本実施の形態では、一対のパイプガイド２４に一対のスライドパイプ２６を挿入する作業を行う際、及びテーブルの水平出し作業を行う際に、第１の円環状部材４４と第２の円環状部材４６との間で微妙な回動動作が発生して、これらの作業が円滑に行なわれることになる。このような回動動作は、保持具４２の第１の円環状部材４４の中心と第２の円環状部材４６の中心とが一致していないために発生する。
【００２４】
以上のような手順により、既製品の車椅子Ｗに取り付けたテーブル半部Ｔが水平になるようにパイプガイド２４を取り付け、テーブル半部Ｔを使用することが可能になる。
【００２５】
以上のように本実施の形態のテーブル装着構造による左右一対の姿勢調整機構２８を設ければ、左右一対の肘掛け用フレーム８の左右一対の被装着部２２が車椅子Ｗの前方側から後方側に下がるように傾斜していたり、左右一対の肘掛け用フレーム８の左右一対の被装着部２２が、前方に向かうに従って間隔が拡がるようになっている場合でも、既製品の車椅子Ｗに取り付けたテーブル半部Ｔが水平になるようにパイプガイド２４を取り付けることが可能になる。
【００２６】
なお図１３に示すような抜け止め構造６３によって、パイプガイド２４からスライドパイプ２６が抜け出るのを防止することができる。この抜け止め構造６３は、一端に円板状のストッパ６４を備え、他端に雄ネジ部６５が形成されたロッド部材６６と、このロッド部材６６の他端に螺合されるナット６７とを備えている。スライドパイプ２６の端部には、貫通孔２６Ａが形成された係止板２６Ｂが溶接により固定されている。ロッド部材６６は、係止板２６Ｂの貫通孔２６Ａを貫通してパイプガイド２４を通り、他端の雄ネジ部６５がパイプガイド２４から延び出ている。パイプガイド２４からスライドパイプ２６を引き出した場合、ストッパ６４が、係止板２６Ｂに当たってスライドパイプ２６の抜け止めが図られることになる。抜け止め構造６３の構成は、図１３に示したものに限定されるものではなく、他の構造であってもよいのは勿論である。
【００２７】
［第２の実施の形態］
図１４は、本発明の車椅子用テーブル装着構造の姿勢調整機構に用いることができる装着構造部３０´の構成を示す斜視図である。図１４においては、図６に示した装着構造部３０の構成部品と同様の機能を有する部品には、図６に付した符号にダッシュを付して説明を省略する。この装着構造部３０´では、延長部３８´に保持具４２´が固定されている。具体的には、延長部３８´に保持具４２´の第１の円環状部材４４´が溶接されている。その他の構造は、図６の装着構造部３０と実質的に同じである。この装着構造部３０´でも、一対のパイプガイドに一対のスライドパイプを挿入する作業を行う際、そしてテーブルの水平出し作業を行う際に、第２の円環状部材４６´が微妙に回動して、これらの作業の円滑化が図られる。この装着構造部３０´は、車椅子の被装着部２２の傾きと左右の開きが小さい場合に、有効に使用可能である。
【産業上の利用可能性】
【００２８】
本発明によれば、既製品の車椅子の肘掛け用フレームが水平でなかったり平行でなかったりしても、本発明のテーブル装着構造を既製品の車椅子に取り付けることにより、テーブルを水平な状態で車椅子に装着することができる。
【符号の説明】
【００２９】
Ｗ  車椅子
２２  被装着部
２４  パイプガイド
２６  スライドパイプ
２８  姿勢調整機構
３０  装着構造部
３２  保持構造部
３４  装着具
３６  固定部
３８  延長部
４０  長孔
４２  保持具
４４  第１の円環状部材
４６  第２の円環状部材
４８  円柱状貫通孔
５０  位置決め固定ツマミ
５２  長孔
５４  ネジ付きロッド
５６  バレルボルトラッチ
５８  リンク機構
【図１】
2018033824.tif 000003
【図２】
2018033824.tif 000004
【図３】
2018033824.tif 000005
【図４】
2018033824.tif 000006
【図５】
2018033824.tif 000007
【図６】
2018033824.tif 000008
【図７】
2018033824.tif 000009
【図８】
2018033824.tif 000010
【図９】
2018033824.tif 000011
【図１０】
2018033824.tif 000012
【図１１】
2018033824.tif 000013
【図１２】
2018033824.tif 000014
【図１３】
2018033824.tif 000015
【図１４】
2018033824.tif 000016